(57)【要約】【課題】放射線センサを備え、バイアス電圧のように高電圧が印加される放射線検出器と、この放射線検出器とコネクタを介してケーブルで接続されたモニタモジュールとからなる放射線モニタ装置において、高電圧を突然遮断することなく、放射線検出器とモニタモジュールとをコネクタ部で安全、容易に接続／切り離しができるようにする。【解決手段】コネクタ４による放射線検出器１とモニタモジュール２との切り離しに際し、コネクタ４の切り離しに先立って、コネクタ４の切り離し状況を監視し、放射線センサ５への電力供給が完全に停止されたこと確認してコネクタ４の切り離しを行うコネクタ切り離し状況判定部９をもうける。【選択図】図１
2005300304.tif 000002
【特許請求の範囲】
【請求項１】
放射線センサを有する放射線検出器と、前記放射線センサに電力を供給する電力供給部を有するモニタモジュールと、前記放射線検出器と前記モニタモジュールとをコネクタを介して接続するケーブルとからなる放射線モニタ装置において、前記コネクタの切り離しに先立って、コネクタの切り離し状況を監視し、前記放射線センサへの電力供給を制御するコネクタ切り離し状況判定部を備えたことを特徴とする放射線モニタ装置。
【請求項２】
前記コネクタ側に設けたグランド電極と、前記放射線検出器側に設けたグランド電極との間の抵抗値を測定する抵抗値測定部を設け、この抵抗値の変化に基づいて前記放射線センサへの電力供給を制御することを特徴とする請求項１記載の放射線モニタ装置。
【請求項３】
前記コネクタ側に設けた電源／信号電極と、前記放射線検出器側に設けた電源／信号電極との間の抵抗値を測定する抵抗値測定部を設け、この抵抗値の変化に基づいて前記放射線センサへの電力供給を制御することを特徴とする請求項１記載の放射線モニタ装置。
【請求項４】
前記コネクタ側に設けたグランド電極と、前記グランド電極に絶縁物を介して接続された切り離し検知用導通部と、前記放射線検出器側に設けられ、前記切り離し検知用導通部により導通する少なくとも一対の測定用電極とを設け、前記測定用電極間の抵抗値の変化に基づいて前記放射線センサへの電力供給を制御することを特徴とする請求項１記載の放射線モニタ装置。
【請求項５】
前記コネクタ側に設けた電源／信号電極と、前記電源／信号電極に絶縁物を介して接続された切り離し検知用導通部と、前記放射線検出器側に設けられ、前記切り離し検知用導通部により導通する少なくとも一対の測定用電極とを設け、前記測定用電極間の抵抗値の変化に基づいて前記放射線センサへの電力供給を停止することを特徴とする請求項１記載の放射線モニタ装置。
【請求項６】
前記放射線検出器の電源／信号電極とグランド電極との間に接続され抵抗値を一定値に設定された終端抵抗を設け、前記終端抵抗の抵抗値の変化に基づいて前記放射線センサへの電力供給を停止することを特徴とする請求項１記載の放射線モニタ装置。
【請求項７】
前記放射線センサへの電力供給が完全に停止するまで前記コネクタの切り離しをロックするコネクタロック機構を設けたことを特徴とする請求項１〜６記載の放射線モニタ装置。
【発明の詳細な説明】
【技術分野】
【０００１】
本発明は、放射線検出器とモニタモジュールとを信号ケーブルで接続して構成される放射線モニタ装置に関する。
【背景技術】
【０００２】
原子力発電プラントのような放射線取扱施設では、施設内作業者に放射線レベルの異常を知らせて被ばく線量の低減を図るとともに、放射線に対する安全を確認するために放射線量（率）を連続的に測定監視する放射線モニタ装置が設けられている。
【０００３】
放射線モニタ装置は大きく分けて、放射線センサを備え、放射線測定現場に設けられた放射線検出器と、現場から離れた場所に設けられるモニタモジュールと、このお互いに離れた場所に設けられた放射線検出器とモニタモジュールとを接続するケーブルとから構成される。  
前記放射線検出器とケーブルとはコネクタにより接続され、このコネクタを抜き差しすることによって両者の電気的な接続／切り離しが行なわれる（例えば、特許文献１参照）。
【０００４】
一方、放射線検出器には、動作特性上の所望の動作点を設定するために内部に放射線センサのバイアス電源を有するものがある。
【特許文献１】特開２００１−３３７１６９号公報
【発明の開示】
【発明が解決しようとする課題】
【０００５】
しかしながら、このようにバイアス電圧を設定した放射線検出器においては、バイアス電圧の突然の遮断による高電圧の急激な変化は、放射線検出器に使用される放射線センサやアンプ部などに電気的な悪影響を与え、放射線センサの故障、誤動作の原因となる恐れがある。
【０００６】
一般的に、このような放射線モニタ装置において、放射線検出器あるいはモニタモジュール内部の基板などをメンテナンスする必要が生じた場合には、コネクタにより放射線検出器とモニタモジュールとの接続を切り離し、メンテナンス作業を行う。
【０００７】
このように、放射線検出器側とモニタモジュール側とをケーブルの活線状態でコネクタの抜き差しにより接続／切り離しを行う際には、モニタモジュール側で、放射線センサのバイアス電圧をコントロールする等の一定の安全操作を行う必要がある。
【０００８】
しかしながらディジタル検出器の場合、ケーブルより直接高電圧を印加することがないため、高圧印加を示すＰＬラベルも無く、特に、特許文献１に示すような電源線に信号線を重畳させるような構成の場合、電源線自体に高電圧がかかるわけではないため、作業者等がバイアス電圧による電気的悪影響を考えることなく気軽にコネクタを抜いてしまい、放射線センサが破損する恐れがある。
【０００９】
本発明は以上の課題を解決するためになされたもので、モニタモジュール側での特別な操作をする必要なしに、放射線検出器側とモニタモジュール側との接続／切り離しが安全にかつ容易に行なえ、故障、誤動作のない放射線モニタ装置を提供することを目的とする。
【課題を解決するための手段】
【００１０】
上記目的を達成するために本発明の放射線モニタ装置は、放射線センサを有する放射線検出器と、前記放射線センサに電力を供給する電力供給部を有するモニタモジュールと、前記放射線検出器と前記モニタモジュールとをコネクタを介して接続するケーブルとからなる放射線モニタ装置において、前記コネクタの切り離しに先立って、コネクタの切り離し状況を監視し、前記放射線センサへの電力供給を制御するコネクタ切り離し状況判定部を備えたことを特徴とする。
【発明の効果】
【００１１】
本発明の放射線モニタ装置によれば、モニタモジュール側での特別な操作をする必要なしに、放射線検出器側とモニタモジュール側との接続／切り離しが安全にかつ容易に行なえ、故障、誤動作の発生する恐れがない。
【発明を実施するための最良の形態】
【００１２】
以下、本発明の実施の形態について図面を参照して説明する。  
図１は本発明の第１の実施の形態による放射線モニタ装置を示すブロック図で、図１において、１は放射線測定現場に設けられる放射線検出器、２はモニタモジュール、３はコネクタ４を介して前記放射線検出器１とモニタモジュール２とを接続するケーブルである。
【００１３】
放射線検出器１は、放射線センサ５、センサ供給電源部６、電源／信号分離部７ａ、抵抗値測定部８、コネクタ切り離し状況判定部９、コネクタ状態信号送出部１０、電源／信号電極１１、グランド電極１２、コネクタ切り離し状況監視用電極１３、電池１４とから構成される。
【００１４】
一方、モニタモジュール２は、電源／信号分離部７ｂ、コネクタ状態信号受信部１５、制御／データ処理部１６、表示部１７、電源供給部１８とから構成される。  
コネクタ４は、放射線検出器１の電源／信号電極１１と接続／切り離しされる電源／信号電極１９と、同じく放射線検出器１のグランド電極１２、コネクタ切り離し状況監視用電極１３と接続／切り離しされ、前記電源／信号電極１９と同じ寸法に形成されたグランド電極２０とを有する。  
放射線検出器１に設けられた各電極は図示するごとく、コネクタ４の電源／信号電極１９、グランド電極２０に対向する位置がお互いにずれて配置固定されている。
【００１５】
次に本発明の第１の実施の形態による放射線モニタ装置の作用について説明する。  
通常はコネクタ４の各電極と放射線検出器１の各電極が接続された状態で、モニタモジュール２の電源供給部１８からケーブル３、電源／信号電極１１、１９を介してセンサ供給電源部６に電力が供給され、放射線センサ５により現場の放射線量を測定する。
【００１６】
測定された放射線量の信号は、逆に電源／信号電極１１、１９、ケーブル３を介してモニタモジュール２に送られ、制御／データ処理部１８で処理されるとともに、表示部１７により表示される。
【００１７】
このような放射線モニタ装置において、放射線検出器１あるいはモニタモジュール２内部の基板などをメンテナンスする必要が生じた場合には、コネクタ４により放射線検出器１とモニタモジュール２との電気的な接続を切り離し、メンテナンス作業を行う。
【００１８】
コネクタ４を切り離す際には、放射線検出器１側の電極の配置位置の相違から、まず、コネクタ４側のグランド電極２０が、放射線検出器１側のコネクタ切り離し状況監視用電極１３から離れ、次にコネクタ４側の電源／信号電極１９が放射線検出器１側の電源／信号電極１１から離れ、最後にコネクタ４側のグランド電極２０が放射線検出器１側のグランド電極１２から切り離される。  
コネクタ４を接続する場合は前記とは逆の順序となる。
【００１９】
そのため、コネクタ４を切り離す際に、まず、コネクタ４側のグランド電極２０が、放射線検出器１側のコネクタ切り離し状況監視用電極１３から離れた段階で放射線検出器１側のグランド電極１２とコネクタ切り離し状況監視用電極１３との間の抵抗値は導通状態から無限大に近い値へと変化する。
【００２０】
この抵抗値の変化を抵抗値測定部８で検出し、コネクタ切り離し状況判定部９で判定し、コネクタ状態信号送出部１０に信号を送出する。  
さらにコネクタ状態信号送出部１０は放射線検出器１の電源／信号分離部７ａを介してコネクタ４から、モニタモジュール２へ状態変化を伝える。
【００２１】
これとあわせて、センサ供給電源部６は、コネクタ状態信号送出部１０からの信号で、放射線センサ５への電力供給を徐々に下げていき、正常な形で電力供給を停止させる。  
その後、さらにコネクタ４を切り離し、コネクタ４側の電源／信号電極１９が放射線検出器１側の電源／信号電極１１から離れ、最後にコネクタ４側のグランド電極２０が放射線検出器１側のグランド電極１２から離れてコネクタ４の切り離しが完了する。
【００２２】
なお、放射線センサ５への電力供給が必要な段階でコネクタ４が完全に切り離された場合には、電池１４を予備電源として放射線センサ５への電力の供給を行うことができる。  
モニタモジュール２は、コネクタ４を通じて、電源／信号分離部７ｂから分かれたコネクタの状態を示す信号をコネクタ状態信号受信部１５にて受信し、その受信結果に応じて表示部１７に表示したり、制御／データ処理部１６にその情報を送ったりする。
【００２３】
制御／データ処理部１６は、コネクタ状況以外の情報も含めてコネクタの状態に応じて演算を行い、表示部１７に適切な表示を行う。  
以上はコネクタ４を切り離す際の動作であるが、コネクタ４の接続時においても、コネクタ切り離し状況監視用電極１３とグランド電極２０の導通がなされるまでセンサ供給電源部６から放射線センサ５への電力の供給は停止される。
【００２４】
以上のように本実施の形態による放射線モニタ装置によれば、コネクタ４の切り離しに先立って、コネクタ４の切り離し状況をコネクタ切り離し状況判定部９により監視するようにし、その監視に基づいて放射線センサ５への電力供給を制御するようにしたので、モニタモジュール２側での特別な操作をする必要なしに、放射線検出器１側とモニタモジュール２側とのコネクタ４の接続／切り離しが安全にかつ容易に行なえ、放射線センサ５の破損を防止し、また、モニタモジュール２側での誤警報等の表示を防止することができる。
【００２５】
なお、本実施の形態では、コネクタ４によって接続される線が電源／信号線と、グランド線の２線で、グランド線に関して抵抗値を監視する形態について説明したが、電源／信号線に対して監視手段を設けても良く、また、複数の電源又は信号線と、グランド線で構成されたケーブルの場合にも、どれか１本又は複数の線に対応した電極に対して同様の監視手段を設けても良い。
【００２６】
次に本発明の第２の実施の形態について図２を参照して説明する。なお以下の実施の形態の説明において、図１に示す第１の実施の形態と同一部分には同一の符号を付し、詳細な説明は省略する。
【００２７】
本実施の形態においては、放射線検出器１は、電源／信号電極１１、グランド電極１２及び、少なくとも一対の導通抵抗測定用電極２１ａ、２１ｂを有する。  
また、放射線検出器１の抵抗値測定部８は、前記導通抵抗測定用電極２１ａ、２１ｂ間の抵抗値を測定する。  
一方、コネクタ４のグランド電極２０の先端部には、絶縁部２２を介して前記導通抵抗測定用電極２１ａ、２１ｂを短絡する切り離し検知用導通部２３が形成されている。
【００２８】
このような構成である本実施の形態において、コネクタ４を切り離す際には、まず導通抵抗測定用電極２１ａ、２１ｂから、切り離し検知用導通部２３が離れ、次にコネクタ４側の電源／信号電極１９が放射線検出器１側の電源／信号電極１１から離れ、最後にコネクタ４側のグランド電極２０が放射線検出器１側のグランド電極１２から切り離される。
【００２９】
そのため、コネクタ４を切り離す際に、まず、導通抵抗測定用電極２１ａ、２１ｂから切り離し検知用導通部２３が離れた段階で抵抗値測定部８の測定値は導通状態から無限大に近い値へと変化する。
【００３０】
以下第１の実施の形態と同様にこの変化をコネクタ切り離し状況判定部９が検知し、コネクタ状態信号送出部１０に信号を送出する。さらにコネクタ状態信号送出部１０は放射線検出器１の電源／信号分離部７ａを介してコネクタ４から、モニタモジュール２へ状態変化を伝え、同様の作用効果を奏する。
【００３１】
なお、前記第１の実施の形態と第２の実施の形態において、放射線検出器１側のコネクタ切り離し状況監視用電極１３とコネクタ４側のグランド電極２０との切り離しによりコネクタ４の接続／切り離しを監視するようにしているが、電源／信号電極１１、１９側でモニタするようにしても良い。
【００３２】
また、本実施の形態においては、電極の順番として、ケーブル４を切り離した時に、最後までグランドを確保されることを目的として、放射線検出器１のグランド電極１２をコネクタ４に一番近い位置に配置しているが、電源/信号線が最後まで確保されることを目的として、電源/信号電極１１をコネクタ４に一番近い位置に配置するようにしても良い。
【００３３】
さらに、本実施の形態では、コネクタ４によって接続される線が電源／信号線と、グランド線の２線で説明したが、複数の電源または信号線と、グランド線で構成されたケーブルの場合にも、どれか１本または、複数の線に対応した電極によってコネクタ４の接続／切り離しを監視するようにしても良い。
【００３４】
次に本発明の第３の実施の形態について図３を参照して説明する。  
本実施の形態においては、放射線検出器１側とコネクタ４側にそれぞれ対応するコネクタロック機構２４ａ、２４ｂが設けられており、放射線検出器１側のコネクタロック機構２４ａは放射線検出器１内のコネクタロック制御部２５によって制御される。
【００３５】
このような構成である本実施の形態において、実施例１と同様な動作により、コネクタ４を切り離し始める状態は、コネクタ切り離し状況判定部９により検知される。  
その情報に基づいて、センサ供給電源部６は電源制御を行うが、その途中でコネクタ４の電源／信号電極１１、１９が切り離されれば電力供給は突然失われる。
【００３６】
本実施の形態においては、センサ供給電源部６の電源制御が電力供給が完全に停止するまでコネクタロック機構２４ａ、２４ｂ及び、コネクタロック制御部２５にてコネクタ４を動かせない状態にすることで突然の電力供給の遮断を防ぐことができる。
【００３７】
次に本発明の第４の実施の形態について図４を参照して説明する。  
図４において、２６は放射線検出器１側の電源／信号電極１１とグランド電極１２との間に接続された終端抵抗で、抵抗値を一定に、例えば１ｋΩとなるように設定されている。
【００３８】
２７はモニタモジュール２側においてケーブル３に接続され、終端抵抗２６をモニタする終端抵抗監視部である。  
このような構成である本実施の形態において、コネクタ４と放射線検出器１の電源／信号電極１１、１９、およびコネクタ４と放射線検出器１のグランド電極１２、２０が接続されていればモニタモジュール２側の終端抵抗監視部２７は終端抵抗の値を１ｋΩと検出する。
【００３９】
しかし、コネクタ４と放射線検出器１の電源／信号電極１１、１９、およびコネクタ４と放射線検出器１のグランド電極１２、２０が切り離されていれば、終端抵抗監視部２７では無限大の終端抵抗値が得られる。
【００４０】
このため、終端抵抗値の大きさによりコネクタ４が接続されているか切り離されているかをモニタモジュール２側にてモニタすることができ、ケーブル４の接続／切り離しによる放射線モニタ装置の誤警報を防止することができる。
【００４１】
また、本実施の形態を、前記第１ないし第３の実施の形態と組み合わせることで、コネクタ部の異常以外のケーブル断線等の放射線検出器とモニタモジュール間の接続の異常を検知することもできる。
【図面の簡単な説明】
【００４２】
【図１】本発明の第１の実施の形態による放射線モニタ装置のブロック図。
【図２】本発明の第２の実施の形態による放射線モニタ装置の一部を示すブロック図。
【図３】本発明の第３の実施の形態による放射線モニタ装置の一部を示すブロック図。
【図４】本発明の第４の実施の形態による放射線モニタ装置を示すブロック図。
【符号の説明】
【００４３】
１…放射線検出器、２…モニタモジュール、３…ケーブル、４…コネクタ、５…放射線センサ、６…センサ供給電源部、７ａ、７ｂ…電源／信号分離部、８…抵抗値測定部、９…コネクタ切り離し状況判定部、１０…コネクタ状態信号送出部、１１…電源／信号電極、１２…グランド電極、１３…コネクタ切り離し状況監視用電極、１４…電池、１５…コネクタ状態信号受信部、１６…制御／データ処理部、１７…表示部、１８…電源供給部、１９…電源／信号電極、２０…グランド電極、２１ａ、２１ｂ…導通抵抗測定用電極、２２…絶縁部、２３…切り離し検知用導通部、２４ａ、２４ｂ…コネクタロック機構、２５…コネクタロック制御部、２６…終端抵抗、２７…終端抵抗監視部。
【図１】
2005300304.tif 000003
【図２】
2005300304.tif 000004
【図３】
2005300304.tif 000005
【図４】
2005300304.tif 000006